(57)【要約】【課題】投射対象の映像をスクリーン内に収めるようにする。【解決手段】例えば、プロジェクタは、フレーム全体のうちの斜線領域に対してマスキングを施すとする。また、プロジェクタは、フレームを上下左右に４分割した各象限フレームのそれぞれをスクリーンに投影することとする。この場合、プロジェクタは、所定象限フレーム（例えば左上象限フレーム）を斜線領域とそれ以外の領域とで区分した場合に形成される第１の境界線と第２の境界線において、第１の境界線を特定する第１の点および第２の点（例えば点P2と点P9）、並びに、第２の境界線を特定する第３の点および第４の点（例えば点P1と点P10）の各位置情報を用いることで、斜線領域に対してマスキングを施した所定象限フレームをスクリーンに投射する。本発明は、プロジェクタに適用可能である。【選択図】図５
2008311766.tif 000002
【特許請求の範囲】
【請求項１】
画像の表示を制御する画像処理装置において、
前記画像を上下左右に４分割した各象限画像に対応付けられた４つの液晶パネルをそれぞれ駆動する各象限信号をそれぞれ生成する処理を同期して実行する４つの象限信号処理回路を備え、
前記画像内の所定領域のマスキングがユーザにより指示され、自身内部または外部装置によって、前記所定領域のうちの所定象限画像に属する部分領域をマスキング領域として、そのマスキング領域を特定可能な前記所定象限画像内の点の位置情報が、４つの前記各象限画像のそれぞれについて生成された場合、
４つの前記象限信号処理回路のそれぞれは、
自己が担当する担当象限画像の前記点の位置情報を取得して、前記点の位置情報を用いて、前記担当象限画像の入力画像信号のうちの、前記マスキング領域に対応する信号をマスキングがかかった信号に変換することで、前記担当象限画像の前記象限信号を生成する
画像処理装置。
【請求項２】
前記処理対象の象限画像を前記マスキング領域とそれ以外の領域とで区分した場合に形成される第１の境界線と第２の境界線において、前記第１の境界線を特定する第１の点および第２の点、並びに、前記第２の境界線を特定する第３の点および第４の点の各位置情報が、前記画像処理装置内部または前記外部装置によって前記点の位置情報として生成される
請求項１に記載の画像処理装置。
【請求項３】
前記画像処理装置により表示が制御される前記画像は、High-Definition信号に対応する解像度の４倍の解像度を有する画像であり、
前記各象限画像は、前記High-Definition信号に対応する解像度の信号である
請求項１に記載の画像処理装置。
【請求項４】
画像の表示を制御する画像処理装置の画像処理方法であって、
前記画像を上下左右に４分割した各象限画像に対応付けられた４つの液晶パネルをそれぞれ駆動する各象限信号をそれぞれ生成する処理を同期して実行するステップとして、
前記画像内の所定領域のマスキングがユーザにより指示され、自身内部または外部装置によって、前記所定領域のうちの所定象限画像に属する部分領域をマスキング領域として、そのマスキング領域を特定可能な前記所定象限画像内の点の位置情報が、４つの前記各象限画像のそれぞれについて生成された場合、
処理対象の象限画像の前記点の情報を取得して、前記点の位置情報を用いて、前記処理対象の象限画像についての入力画像信号のうちの、前記マスキング領域に対応する信号をマスキングがかかった信号に変換することで、前記処理対象の象限画像についての前記象限信号を生成する処理を、４つの前記象限画像のそれぞれについて同期して実行する
ステップを含む画像処理方法。
【請求項５】
画像を上下左右に４分割した各象限画像に対応付けられた４つの液晶パネルをそれぞれ駆動する各象限信号をそれぞれ生成する処理を制御するコンピュータに対して、
前記画像内の所定領域のマスキングがユーザにより指示され、前記所定領域のうちの所定象限画像に属する部分領域をマスキング領域として、そのマスキング領域を特定可能な前記所定象限画像内の点の位置情報が、４つの前記各象限画像のそれぞれについて与えられた場合、
処理対象の象限画像の前記点の情報を取得して、前記点の位置情報を用いて、前記処理対象の象限画像についての入力画像信号のうちの、前記マスキング領域に対応する信号をマスキングがかかった信号に変換することで、前記処理対象の象限画像についての前記象限信号を生成する処理の制御を、４つの前記象限画像のそれぞれについて同期して実行する
ステップを実行させるプログラム。
【発明の詳細な説明】
【技術分野】
【０００１】
本発明は、画像処理装置および方法並びにプログラムに関し、特に、映画館の環境によらず、投射対象の映像をスクリーン内に収めることができるようになった画像処理装置および方法、画像形成装置および方法並びにプログラムに関する。
【背景技術】
【０００２】
近年、液晶パネルの高解像度化が進み、画素数にして２０４８×１０８０程度の解像度を有する映像信号（即ち、いわゆるHigh-Definition信号であるが、ここでは以下、2K信号と称する）に対応可能なもの（例えば特許文献１，２参照）が普及してきている。さらに、デジタルシネマの分野等で利用するために、画素数にして４０９６×２１６０程度の解像度を有する映像信号、即ち2K信号に対して約４倍の解像度を有する映像信号（以下、4K信号と称する）に対応可能な液晶パネル（以下、4K液晶パネルと称する）も登場してきている。
【０００３】
そこで、本発明人らは、デジタルシネマ用プロジェクタとして、4K液晶パネルを搭載したプロジェクタの開発をこれまで行ってきた。
【０００４】
このデジタルシネマ用プロジェクタの投射対象の映像（映画等）は、従来のフィルム映写機と同様に、スクリーン上に投射されることが一般的である。ただし、スクリーンは、映画館によって様々な種類のものが採用されている。例えば、端部から中央部にかけて湾曲したスクリーン（以下、カーブドスクリーンと称する）等が採用されている事例がある。
【特許文献１】特開２００３−３４８５９７号公報
【特許文献２】特開２００１−２８５８７６号公報
【発明の開示】
【発明が解決しようとする課題】
【０００５】
しかしながら、図１に示されるように、従来のデジタルシネマ用プロジェクタがカーブドスクリーン１−１に映像を投射した場合、投射される映像の一部（図１の例では城の風景の映像のうちの、上方の空と下方の道の映像）がカーブドスクリーン１−１からはみ出してしまう、という問題があった。
【０００６】
また、映画館の構造によっては、デジタルシネマ用プロジェクタの設置場所が限定されてしまう場合がある。例えば、図２に示されるように、通常のスクリーン１−２が採用されている映画館であっても、そのスクリーン１−２に対して真正面からではなく左斜め方向から投射するような場所にしかデジタルシネマ用プロジェクタを設置できない映画館も存在する。かかる映画館においては、図２に示されるように、従来のデジタルシネマ用プロジェクタがスクリーン１−２に映像を投射すると、投射される映像は台形状に歪んだ映像となり、その結果、その映像の一部（図２の例では城の風景の映像のうちの、左上方の空と左下方の道の映像）がスクリーン１−２からはみ出してしまう、という問題があった。
【０００７】
なお、以下、スクリーンの種類を区別する必要が無い場合、カーブドスクリーン１−１や通常のスクリーン１−２等を一括して、スクリーン１と称する。
【０００８】
以上の問題をまとめると、従来のデジタルシネマ用プロジェクタでは、その設置場所が限定されている場合やスクリーン１の形状が特殊である場合等、即ち、映画館の環境が特殊である場合には、投射対象の映像がスクリーン１からはみ出してしまうこともある、といった問題があった。
【０００９】
本発明は、このような状況に鑑みてなされたものであり、映画館の環境によらず、投射対象の映像をスクリーン内に収めることができるようにするものである。
【課題を解決するための手段】
【００１０】
本発明の一側面の画像処理装置は、画像の表示を制御する画像処理装置であって、前記画像を上下左右に４分割した各象限画像に対応付けられた４つの液晶パネルをそれぞれ駆動する各象限信号をそれぞれ生成する処理を同期して実行する４つの象限信号処理回路を備え、前記画像内の所定領域のマスキングがユーザにより指示され、自身内部または外部装置によって、前記所定領域のうちの所定象限画像に属する部分領域をマスキング領域として、そのマスキング領域を特定可能な前記所定象限画像内の点の位置情報が、４つの前記各象限画像のそれぞれについて生成された場合、４つの前記象限信号処理回路のそれぞれは、自己が担当する担当象限画像の前記点の位置情報を取得して、前記点の位置情報を用いて、前記担当象限画像の入力画像信号のうちの、前記マスキング領域に対応する信号をマスキングがかかった信号に変換することで、前記担当象限画像の前記象限信号を生成する。
【００１１】
前記処理対象の象限画像を前記マスキング領域とそれ以外の領域とで区分した場合に形成される第１の境界線と第２の境界線において、前記第１の境界線を特定する第１の点および第２の点、並びに、前記第２の境界線を特定する第３の点および第４の点の各位置情報が、前記画像処理装置内部または前記外部装置によって前記点の位置情報として生成される。
【００１２】
前記画像処理装置により表示が制御される前記画像は、High-Definition信号に対応する解像度の４倍の解像度を有する画像であり、前記各象限画像は、前記High-Definition信号に対応する解像度の信号である。
【００１３】
本発明の一側面の画像処理方法およびプログラムは、上述した本発明の一側面の画像処理装置に対応する画像処理方法およびプログラムである。
【００１４】
本発明の一側面の画像処理装置およびその方法並びにプログラムにおいては、画像を上下左右に４分割した各象限画像に対応付けられた４つの液晶パネルをそれぞれ駆動する各象限信号が次のようにして実行される。即ち、前記画像内の所定領域のマスキングがユーザにより指示された場合であって、その結果として、前記所定領域のうちの所定象限画像に属する部分領域をマスキング領域として、そのマスキング領域を特定可能な前記所定象限画像内の点の位置情報が、４つの前記各象限画像のそれぞれについて与えられた場合、処理対象の象限画像の前記点の情報を取得して、前記点の位置情報を用いて、前記処理対象の象限画像についての入力画像信号のうちの、前記マスキング領域に対応する信号をマスキングがかかった信号に変換することで、前記処理対象の象限画像についての前記象限信号を生成する処理が、４つの前記象限画像のそれぞれについて同期して実行される。
【発明の効果】
【００１５】
以上のごとく、本発明によれば、デジタルシネマ用プロジェクタに搭載可能な画像処理装置を提供できる。その結果、映画館の環境によらず、投射対象の映像をスクリーン内に収めることができるようになる。
【発明を実施するための最良の形態】
【００１６】
以下に本発明の実施の形態を説明するが、請求項に記載の構成要件と、明細書または図面における具体例との対応関係を例示すると、次のようになる。この記載は、請求項に記載されている発明をサポートする具体例が、明細書または図面に記載されていることを確認するためのものである。従って、明細書または図面中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１７】
さらに、この記載は、明細書または図面に記載されている具体例に対応する発明が、請求項に全て記載されていることを意味するものではない。換言すれば、この記載は、明細書または図面に記載されている具体例に対応する発明であって、この出願の請求項には記載されていない発明の存在、すなわち、将来、分割出願されたり、補正により追加される発明の存在を否定するものではない。
【００１８】
本発明の一側面の画像処理装置（例えば、図７のプロジェクタ５２）は、
画像の表示を制御する画像処理装置であって、
前記画像を上下左右に４分割した各象限画像（例えば、図３に示されるスクリーン１に投射される４つの象限フレーム）に対応付けられた４つの液晶パネル（例えば図３の液晶パネル１１−１乃至１１−４）をそれぞれ駆動する各象限信号をそれぞれ生成する処理を同期して実行する４つの象限信号処理回路（例えば図７の左上象限信号処理回路７１−１乃至右下象限信号処理回路７１−４）を備え、
前記画像内の所定領域（例えば図４の斜線領域）のマスキングがユーザにより指示され、自身内部または外部装置（例えば図７のマイクロコンピュータ６１）によって、前記所定領域のうちの所定象限画像に属する部分領域をマスキング領域として（例えば図１０乃至図１２の例では、左上象限画像が所定象限画像であって、同図中の斜線領域がマスキング領域）、そのマスキング領域を特定可能な前記所定象限画像内の点の位置情報（例えば図１０乃至図１２の例では、点P2の位置情報MASX_CORNER_X、点P9の位置情報MASX_HOR、点P1の位置情報MASX_CORNER_Y、および、点P10の位置情報MASX_VER）が、４つの前記各象限画像のそれぞれについて生成された場合、
４つの前記象限信号処理回路のそれぞれは、
自己が担当する担当象限画像の前記点の位置情報を取得して、前記点の位置情報を用いて、前記担当象限画像の入力画像信号のうちの、前記マスキング領域に対応する信号をマスキングがかかった信号に変換することで、前記担当象限画像の前記象限信号を生成する（例えば、図８の構成の象限信号処理回路７１が、図９のマスク処理を実行する）。
【００１９】
ここで、図３乃至図６を参照して、本発明が適用される手法の概略について先ず説明する。
【００２０】
本発明人は、［発明が解決しようとする課題］の欄で上述した問題点、即ち、投射対象の映像がスクリーン１からはみ出してしまうという問題点を解決すべく、投射対象の映像のうちのはみ出した部分にマスキングをかける、即ち、はみ出した部分を例えば黒色で表示させるという技術的思想を想到した。
【００２１】
ただし、上述したようにデジタルシネマ用プロジェクタとして4K液晶パネルを搭載したプロジェクタが採用されている場合、そのプロジェクタは、投射対象の1枚のフレームまたはフィールド（以下、便宜上フレームのみ言及する）が４分割された各画像（以下、かかる画像を象限フレームと称する）をそれぞれ並列的にスクリーン１に投射することで、結果として、１枚のフレーム全体をスクリーン１に投射している、という特徴がある。
【００２２】
よって、かかる特徴を考慮せずに、１枚のフレームに対してマスキングをかける技術を単純に利用しても、［発明が解決しようとする課題］の欄で上述した問題点を解決することができない。
【００２３】
さらに、図３を参照して、4K液晶パネルを搭載したプロジェクタのかかる特徴について説明する。
【００２４】
図３に示されるように、デジタルシネマ用プロジェクタが4K液晶パネル２０を搭載しているとする。この場合、その4K液晶パネル２０とは、２０４８×１０８０個の画素からなる各象限フレームをそれぞれ担当する液晶パネル１１−１乃至１１−４から構成されている場合が一般的である。
【００２５】
この場合、４０９６×２１６０個の画素からなる所定フレームが投射対象となっているとき、その所定フレームが上下左右の４象限に分割された各象限フレーム、即ち、２０４８×１０８０個の画素からなる各象限フレームが、液晶パネル１１−１乃至１１−４のそれぞれによってスクリーン１に並列的に投射される。これにより、４つの象限フレームが合成されたフレーム、即ち、４０９６×２１６０個の画素からなるフレームが、スクリーン１に投影されるのである。
【００２６】
具体的には例えば、右上象限フレームについていえば、右上象限フレームに対応する映像信号（以下、右上象限信号と称する）が液晶パネル１１−４に入力されることになる。右上象限信号とは、フレーム単位でいえば、その右上象限フレームを構成する２０４８×１０８０個分の各画素のR,G,Bの画素値を示す信号（以下、画素値信号と適宜称する）から主に構成されている信号をいう。この場合、液晶パネル１１−４は、右上象限信号により駆動されて、図３中の矢印で示される順番の走査で各画素の書き込みをしていくことで、結果として、右上象限象限フレームがスクリーン１に投射される。
【００２７】
以下同様に、液晶パネル１１−１は、左上象限信号により駆動されて、図３中の矢印で示される順番の走査で各画素の書き込みをしていくことで、結果として、左上象限象限フレームがスクリーン１に投射される。液晶パネル１１−２は、左下象限信号により駆動されて、図３中の矢印で示される順番の走査で各画素の書き込みをしていくことで、結果として、左下象限象限フレームがスクリーン１に投射される。液晶パネル１１−３は、右下象限信号により駆動されて、図３中の矢印で示される順番の走査で各画素の書き込みをしていくことで、結果として、右下象限象限フレームがスクリーン１に投射される。
【００２８】
従って、所定フレームの所定領域に対してマスキングをかける処理（以下、マスク処理と称する）を実現する場合、フレーム単位で実現するのではなく、各象限フレームのそれぞれに対して別々にマスク処理を施す、即ち、象限単位のマスク処理を４つの各象限フレームについて並行かつ同時に実行するという形態で実現する必要がある。
【００２９】
この場合、迅速な処理が要求されるので、象限単位の各マスク処理に利用する情報の個数は、可能な限り少ないと好適である。そこで、このような観点から、本発明人は、図４に示されるように、6個の点a乃至fを結んだ領域の外側（図４中斜線部）にマスキングをかける、という手法を発明した。
【００３０】
かかる手法を象限単位のマスク処理として実現するためには、マスク処理の実行装置側にとっては、図５に示されるように、フレーム全体として、１２個の点P1乃至P12の情報さえ得られればよいことがわかる。即ち、象限フレーム単位でみると、それらの１２個の点P1乃至P12のうちの、対応する４個の点の情報さえ得られればよいことがわかる。
【００３１】
かかる手法が実現されれば、例えば図６に示されるように、カーブドスクリーン１−１に映像が投射された場合であっても、カーブドスクリーン１−１からはみ出た部分は黒色でマスキングされることになるので、その映像の視聴者にとっては、カーブドスクリーン１−１から映像がはみ出していないように視認されるという効果、即ち、上述した問題点を解決できる効果を奏することが可能になる。なお、「例えば」と記述したのは、本手法を採用することで、図４乃至図６のマスキングのパターンのみならず、後述する図１３や図１４に示されるように様々なマスキングのパターンを容易に実現できるからである。
【００３２】
図７は、本手法が適用された情報処理システム、即ち、本発明が適用された情報処理システムの構成例を示している。
【００３３】
図７の例では、情報処理システムは、制御装置５１とプロジェクタ５２とから構成されている。
【００３４】
制御装置５１は、例えば、パーソナルコンピュータから構成されており、映画館のユーザ（従業者等の映画館内部の者の他、調整者等の映画館外部の者も含む）の操作に従って、プロジェクタ５２に対する各種制御を行うことができる。
【００３５】
例えば、マスキングのパターンは、原則として、映画館のユーザが、その映画館の環境に応じて決定すべき事項である。そこで、例えば本実施の形態では、ユーザは、制御装置５１を操作して、フレーム全体における図４の6個の点a乃至fの位置を指定することで、マスキングのパターンを決定するとする。なお、この場合の映画館のユーザの操作方法や形態は、特に限定されない。例えば本実施の形態では、6個の点a乃至fを可変点画像として含むテスト画像（フレーム）をスクリーン１等に実際に投影させながら、6個の点a乃至fの点画像を所望の位置に移動させる指令を、ユーザが制御装置５１に与えることができるとする。即ち、スクリーン１上において、6個の点a乃至fの点画像はユーザの指令によって任意に移動できるとする。この場合、6個の点a乃至fの点画像が、スクリーン１上（またはその周囲）の所望位置に投影された段階で、その時点の指令に対応する6個の点a乃至fの位置情報が、制御装置５１からプロジェクタ５２に送信される。その結果、詳細については後述するが、プロジェクタ５２は、この6個の点a乃至fの位置情報によって特定されるマスキングのパターンの映像をスクリーン１に投射できるようになる。
【００３６】
換言すると、6個の点a乃至fの各位置はユーザの操作により任意な位置に変更することができるため、制御装置５１は、変更後の6個の点a乃至fの位置情報をプロジェクタ５２に送信することで、マスキングのパターンの変更を制御することができる。
【００３７】
プロジェクタ５２は、マイクロコンピュータ６１、マスク回路６２、および4K液晶パネル６３を含むように構成されている。なお、当然ながら、プロジェクタ５２には、その他様々な構成要素が含まれ得るが、図７の例では説明の簡略上、マスキングをかける機能に関連する構成要素として、マイクロコンピュータ６１、マスク回路６２、および4K液晶パネル６３のみが図示されているのである。
【００３８】
マイクロコンピュータ６１は、プロジェクタ５２の動作全体を制御する。例えばマスク処理の制御処理として、次のような処理が実行される。即ち、上述したように、図４の6個の点a乃至fの位置情報が制御装置５１からマイクロコンピュータ６１に提供される。そこで、マイクロコンピュータ６１は、図４の6個の点a乃至fの位置情報から、フレームにおける図５の12個の点P1乃至P12の位置情報を算出する。ただし、上述したように、マスク処理の単位は、１フレームでは無く、それが４分割された象限フレームであるので、算出される位置情報は、各象限フレームにおける各位置を示す情報とする必要がある。
【００３９】
そこで、マイクロコンピュータ６１は、右上象限フレームについては、図５の12個の点P1乃至P12のうちの右上象限フレームに含まれる点、即ち、点P11，点P3，点P10，点P4の右上象限フレームにおける位置（座標）を算出する。この場合、フレームの中央点（各象限フレームの接点）を原点０として、水平方向のうちの水平走査方向（図５中左から右に向かう方向）の軸をＸ軸として、垂直方向のうちの垂直走査方向（図５中下から上に向かう方向）の軸をＹ軸として構成される座標系が採用され、かかる座標系における点P11，点P3，点P10，点P4の各座標(x,y)が、マイクロコンピュータ６１によって算出される。
【００４０】
以下同様に、マイクロコンピュータ６１は、左上象限フレームについては、図５の12個の点P1乃至P12のうちの左上象限フレームに含まれる点、即ち、点P9，点P2，点P10，点P1の左上象限フレームにおける位置（座標）を算出する。この場合、フレームの中央点（各象限フレームの接点）を原点０として、水平方向のうちの水平走査方向（図５中右から左に向かう方向）の軸をＸ軸として、垂直方向のうちの垂直走査方向（図５中下から上に向かう方向）の軸をＹ軸として構成される座標系が採用され、かかる座標系における点P9，点P2，点P10，点P1の各座標(x,y)が、マイクロコンピュータ６１によって算出される。
【００４１】
マイクロコンピュータ６１は、左下象限フレームについては、図５の12個の点P1乃至P12のうちの左下象限フレームに含まれる点、即ち、点P9，点P7，点P12，点P8の左下象限フレームにおける位置（座標）を算出する。この場合、フレームの中央点（各象限フレームの接点）を原点０として、水平方向のうちの水平走査方向（図５中右から左に向かう方向）の軸をＸ軸として、垂直方向のうちの垂直走査方向（図５中上から下に向かう方向）の軸をＹ軸として構成される座標系が採用され、かかる座標系における点P9，点P7，点P12，点P8の各座標(x,y)が、マイクロコンピュータ６１によって算出される。
【００４２】
マイクロコンピュータ６１は、右下象限フレームについては、図５の12個の点P1乃至P12のうちの右下象限フレームに含まれる点、即ち、点P11，点P6，点P12，点P5の右下象限フレームにおける位置（座標）を算出する。この場合、フレームの中央点（各象限フレームの接点）を原点０として、水平方向のうちの水平走査方向（図５中左から右に向かう方向）の軸をＸ軸として、垂直方向のうちの垂直走査方向（図５中上から下に向かう方向）の軸をＹ軸として構成される座標系が採用され、かかる座標系における点P11，点P6，点P12，点P5の各座標(x,y)が、マイクロコンピュータ６１によって算出される。
【００４３】
換言すると、点P9，点P11とは、各象限フレームの水平方向についてのマスキングをかける部分とかけない部分とのＸ軸上の境界点であるといえる。そこで、以下、かかるＸ軸上の境界点の位置情報をまとめて、点情報MASK_HORと称する。
【００４４】
一方、点P3，点P2,点P7，点P6とは、各象限フレームの水平方向についてのマスキングをかける部分とかけない部分との外周（フレーム全体の外周に相当）上の境界点であるといえる。そこで、以下、かかる外周上の境界点の位置情報をまとめて、点情報MASK_CORNER_Xと称する。
【００４５】
また、点P10，点P12とは、各象限フレームの垂直方向についてのマスキングをかける部分とかけない部分とのＹ軸上の境界点であるといえる。そこで、以下、かかるＹ軸上の境界点の位置情報をまとめて、点情報MASK_VERと称する。
【００４６】
一方、点P4，点P1,点P8，点P5とは、各象限フレームの垂直方向についてのマスキングをかける部分とかけない部分との外周（フレーム全体の外周に相当）上の境界点であるといえる。そこで、以下、かかる外周上の境界点の位置情報を、点情報MASK_CORNER_Yと称する。
【００４７】
以上の呼称に従えば、マイクロコンピュータ６１は、各象限フレームについての点情報MASK_HOR，MASK_CORNER_X,MASK_VER，MASK_CORNER_Yをそれぞれ算出し、マスク回路６２にそれぞれ提供することになる。
【００４８】
マスク回路６２は、プロジェクタ５２に入力された映像信号（RGB_IN/HD/VD）のうちの入力実信号RGB_INに対してマスク処理を施し、その結果得られる信号を、出力実信号RGB_OUTとして4K液晶パネル６３に提供する。
【００４９】
ここで、マスク回路６２にとっての入力実信号RGB_INとは、画素値信号、即ち、フレームを構成する各画素のR,G,Bの画素値を示す信号を意味している。よって、処理の対象として注目すべき画素（以下、注目画素と称する）の入力実信号RGB_INに対してマスキングがかけられた場合には、黒を示す信号（例えば0レベル信号）が、注目画素の出力実信号RGB_OUTとしてマスク回路６２から出力されて4K液晶パネル６３に提供される。
【００５０】
これに対して、注目画素の入力実信号RGB_INに対してマスキングがかけられない場合には、入力実信号RGB_INそのものが、注目画素の出力実信号RGB_OUTとしてマスク回路６２から出力されて4K液晶パネル６３に提供される。
【００５１】
ただし、このようなマスク処理は、上述したように象限フレーム単位で行われる。そこで、左上象限フレームに対してマスク処理を実行する左上象限信号処理回路７１−１、右上象限フレームに対してマスク処理を実行する右上象限信号処理回路７１−２、左下象限フレームに対してマスク処理を実行する左下象限信号処理回路７１−３、および、右下象限フレームに対してマスク処理を実行する右下象限信号処理回路７１−４が、マスク回路６２に設けられている。
【００５２】
ここで注目すべき点は次の点である。
【００５３】
即ち、上述したように、各象限フレームの画素位置については、フレームの中央点（各象限フレームの接点）を原点０として、水平方向のうちの水平走査方向の軸をＸ軸として、垂直方向のうちの垂直走査方向の軸をＹ軸として構成される座標系が採用され、かかる座標系の座標によって示される。また、各象限フレームの画素位置におけるマスキングをかける部分とかけない部分との境界線は、上述した４つの境界点の情報、即ち、マイクロコンピュータ６１から提供される点情報MASK_HOR，MASK_CORNER_X,MASK_VER，MASK_CORNER_Yから特定できる。また、各象限フレームの画素位置における注目画素の位置情報については、入力映像信号に含まれる水平同期信号HDと垂直同期信号VDとから特定可能である。
【００５４】
以上のことから、各象限フレームに対するマスク処理は、何れも同一処理として実現可能となることがわかる。よって、左上象限信号処理回路７１−１、右上象限信号処理回路７１−２、左下象限信号処理回路７１−３、および、右下象限信号処理回路７１−４は何れも、同一の機能と構成を有する同一回路として実現可能になる。
【００５５】
そこで、以下、左上象限信号処理回路７１−１、右上象限信号処理回路７１−２、左下象限信号処理回路７１−３、および、右下象限信号処理回路７１−４を個々に区別する必要が無い場合、これらをまとめて象限信号処理回路７１と称する。象限信号処理回路７１の詳細については、図８乃至図１２を参照して後述する。
【００５６】
4K液晶パネル６３は、上述した図３の4K液晶パネル２０と同様の機能と構成を有している。
【００５７】
従って、左上象限信号処理回路７１−１の出力映像信号（左上象限信号）RGB_OUTが、左上象限用液晶パネル（図３の液晶パネル１１−１に対応）に提供されると、スクリーン１上には、所定部分にマスキングがかけられた左上象限フレームが投射される。
【００５８】
以下同様に、右上象限信号処理回路７１−２の出力映像信号（右上象限信号）RGB_OUTが、右上象限用液晶パネル（図３の液晶パネル１１−４に対応）に提供されると、スクリーン１上には、所定部分にマスキングがかけられた右上象限フレームが投射される。
【００５９】
左下象限信号処理回路７１−３の出力映像信号（左下象限信号）RGB_OUTが、左下象限用液晶パネル（図３の液晶パネル１１−２に対応）に提供されると、スクリーン１上には、所定部分にマスキングがかけられた左下象限フレームが投射される。
【００６０】
右下象限信号処理回路７１−４の出力映像信号（右下象限信号）RGB_OUTが、右下象限用液晶パネル（図３の液晶パネル１１−３に対応）に提供されると、スクリーン１上には、所定部分にマスキングがかけられた右下象限フレームが投射される。
【００６１】
以上の左上象限信号処理回路７１−１乃至右下象限信号処理回路７１−４の各処理は並列かつ同時に実行されるので、その結果、例えば上述した図６の右側に示されるように、カーブドスクリーン１−１からはみ出た部分が黒色でマスキングされたフレームが投射されることになる。よって、上述した効果、即ち、その映像の視聴者にとっては、カーブドスクリーン１−１から映像がはみ出していないように視認されるという効果を奏することが可能になる。
【００６２】
以下、かかる効果を奏することを可能とする象限信号処理回路７１についてさらに詳しく説明していく。
【００６３】
図８は、象限信号処理回路７１の詳細な構成例を示している。
【００６４】
象限信号処理回路７１は、水平カウンタ部８１乃至マスク部８８から構成されている。
【００６５】
ここで、象限信号処理回路７１の構成の点、即ち各ブロックの連携の点だけに着目して説明すると、次のようになる。なお、各ブロックの入出力信号の内容等の詳細については後述する。従って、ここでは、入出力信号については、特に呼称を定義せずに、または上述した定義を使用せずに、単に入出力信号と称し、その後に付される符号のみによって他と識別するとする。
【００６６】
象限信号処理回路７１への入力信号HDは水平カウンタ部８１に入力される。水平カウンタ部８１の出力信号Pos_xは、垂直方向マスキング境界点決定部８５と水平方向マスク有無決定部（大小比較部）８３に提供される。象限信号処理回路７１への入力信号MASK_HOR,MASK_CORNER_Xは水平方向マスキング境界点決定部８２に入力される。水平方向マスキング境界点決定部８２の出力信号BLK_Pos_Xは、水平方向マスク有無決定部（大小比較部）８３に提供される。
【００６７】
象限信号処理回路７１への入力信号HD,VDは垂直カウンタ部８４に入力される。垂直カウンタ部８４の出力信号Pos_yは、水平方向マスキング境界点決定部８２と垂直方向マスク有無決定部（大小比較部）８６に提供される。象限信号処理回路７１への入力信号MASK_VER,MASK_CORNER_Yは垂直方向マスキング境界点決定部８５に入力される。垂直方向マスキング境界点決定部８５の出力信号BLK_Pos_Yは、垂直方向マスク有無決定部（大小比較部）８６に提供される。
【００６８】
水平方向マスク有無決定部（大小比較部）８３の出力信号BLK_Xと、垂直方向マスク有無決定部（大小比較部）８６の出力信号BLK_Yとは、OR演算部８７に提供される。
【００６９】
OR演算部８７の出力信号BLKはマスク部８８に提供される。マスク部８８には、象限信号処理回路７１への入力実信号RGB_INも提供される。マスク部８８の出力実信号RGB_OUTは、象限信号処理回路７１の出力信号として出力される。
【００７０】
以下、かかる構成を有する象限信号処理回路７１の動作例について、水平カウンタ部８１乃至マスク部８８の各機能の説明と併せて説明していく。また、その説明にあたり、図９乃至図１２を適宜参照する。
【００７１】
なお、象限信号処理回路７１の各ブロックの入出力信号については、新たに定義した呼称、または上述した定義を使用して、以下の説明を行っていく。
【００７２】
図９は、象限信号処理回路７１のマスク処理の一例を説明するフローチャートである。
【００７３】
なお、象限信号処理回路７１に入力される象限信号（RGB_IN/HD/VD）とは、実際には、連続する複数の象限フレームから構成される象限動画像のストリーム信号である。ただし、図９の例では、象限信号（RGB_IN/HD/VD）は、注目画素の信号として取り扱っている。即ち、１つの象限フレームは、上述したように、２０４８×１０８０個の画素から構成される。よって、１つの象限フレームについていえば、２０４８×１０８０個の各画素のR.G.Bの画素値を示す信号が、入力実信号RGB_INとして象限信号処理回路７１に順次入力されてくるとして取り扱っている。
【００７４】
図９のステップＳ１において、図８の象限信号処理回路７１は、入力実信号RGB_INに対応する画素を注目画素とする。
【００７５】
ステップＳ２において、象限信号処理回路７１の水平カウンタ部８１は、注目画素のＸ座標値を示す情報を、水平方向位置情報Pos_xとして取得する。
【００７６】
即ち、水平カウンタ部８１は、処理対象の象限フレームについての水平同期信号HDをカウントして注目画素のＸ座標値を特定することで、水平方向位置情報Pos_xを生成して、垂直方向マスキング境界点決定部８５と水平方向マスク有無決定部（大小比較部）８３に提供する。
【００７７】
また、ステップＳ３において、垂直カウンタ部８４は、注目画素のＹ座標値を示す情報を、垂直方向位置情報Pos_yとして取得する。
【００７８】
即ち、垂直カウンタ部８４は、処理対象の象限フレームについての水平同期信号HD，垂直同期信号VDをカウントして注目画素のＹ座標値を特定することで、垂直方向位置情報Pos_yを生成して水平方向マスキング境界点決定部８２と垂直方向マスク有無決定部（大小比較部）８６に提供する。
【００７９】
具体的には例えば、象限信号処理回路７１が左上象限信号処理回路７１−１として採用された場合の例について考える。
【００８０】
この場合、例えば図１０乃至図１２に示されるように、フレームの中央点（各象限フレームの接点）を原点０として、水平方向のうちの水平走査方向（図中右から左に向かう方向）の軸をＸ軸として、垂直方向のうちの垂直走査方向（図中下から上に向かう方向）の軸をＹ軸として構成される座標系が採用される。
【００８１】
かかる座標系における各注目画素の座標を例えば（xc，yc）と記述すると、xcを示す情報が水平方向位置情報Pos_xとして取得され、ycを示す情報が垂直方向位置情報Pos_yとして取得されることになる。
【００８２】
ステップＳ４において、水平方向マスキング境界点決定部８２は、点情報MASK_HOR，MASK_CORNER_Xで特定される２点を結ぶ線分を水平方向マスキング境界線として、注目画素と同一のＹ座標値（垂直方向位置情報Pos_yで示されるＹ座標値）を有する水平方向マスキング境界線上の点のＸ座標値を示す情報を、水平方向マスキング境界点情報BLK_Pos_Xとして設定する。
【００８３】
また、ステップＳ５において、垂直方向マスキング境界点決定部８５は、点情報MASK_VER，MASK_CORNER_Yで特定される２点を結ぶ線分を垂直方向マスキング境界線として、注目画素と同一のＸ座標値（水平方向位置情報Pos_xで示されるＸ座標値）を有する垂直方向マスキング境界線上の点のＹ座標を示す情報を、垂直方向マスキング境界点情報BLK_Pos_Yとして設定する。
【００８４】
具体的には例えば、象限信号処理回路７１が左上象限信号処理回路７１−１として採用された場合の例について考える。
【００８５】
この場合、例えば図１０乃至図１２に示されるように、点情報MASK_HORで特定される点とは点P9であり、点情報MASK_CORNER_Xで特定される点とは点P2である。よって、水平方向マスキング境界線とは、点P2と点P9とを結ぶ線となる。この場合、注目画素と同一のＹ座標値、即ち、垂直方向位置情報Pos_yで示されるＹ座標値を有する水平方向マスキング境界線上の点とは、点P2と点P9とを結ぶ線上の黒丸の点となる。従って、この黒丸の点のＸ座標値を示す情報が、水平方向マスキング境界点情報BLK_Pos_Xとして設定される。
【００８６】
一方、例えば図１０乃至図１２に示されるように、点情報MASK_VERで特定される点とは点P10であり、点情報MASK_CORNER_Yで特定される点とは点P1である。よって、垂直方向マスキング境界線とは、点P1と点P10とを結ぶ線となる。この場合、注目画素と同一のＸ座標値、即ち、水平方向位置情報Pos_xで示されるＸ座標値を有する垂直方向マスキング境界線上の点とは、点P1と点P10とを結ぶ線上の黒丸の点となる。従って、この黒丸の点のＹ座標値を示す情報が、垂直方向マスキング境界点情報BLK_Pos_Yとして設定される。
【００８７】
ステップＳ６において、水平方向マスク有無決定部（大小比較部）８３は、Pos_x   ＞  BLK_Pos_Xであるか否かを決定する。
【００８８】
ステップＳ６において、Pos_x   ＞  BLK_Pos_Xであると判定した場合、水平方向マスク有無決定部（大小比較部）８３は、ステップＳ７において、マスキング有情報BLK_XをOR演算部８７に出力する。
【００８９】
これに対して、ステップＳ６において、Pos_x   ≦  BLK_Pos_Xであると判定した場合、水平方向マスク有無決定部（大小比較部）８３は、ステップＳ８において、マスキング有情報BLK_Xの出力を禁止する。
【００９０】
また、ステップＳ９において、垂直方向マスク有無決定部（大小比較部）８６は、Pos_y   ＞  BLK_Pos_Yであるか否かを決定する。
【００９１】
ステップＳ９において、Pos_y   ＞  BLK_Pos_Yであると判定した場合、垂直方向マスク有無決定部（大小比較部）８６は、ステップＳ１０において、マスキング有情報BLK_YをOR演算部８７に出力する。
【００９２】
これに対して、ステップＳ９において、Pos_y  ≦  BLK_Pos_Yであると判定した場合、垂直方向マスク有無決定部（大小比較部）８６は、ステップＳ１１において、マスキング有情報BLK_Yの出力を禁止する。
【００９３】
ステップＳ１２において、OR演算部８７は、マスキング有情報BLK_XまたはBLK_Yが出力されたか否かを判定する。
【００９４】
マスキング有情報BLK_X，BLK_Yのうちの少なくとも一方が出力されてOR演算部８７に入力されてきた場合、ステップＳ１２においてＹＥＳであると判定されて、処理はステップＳ１３に進む。ステップＳ１３において、OR演算部８７は、その出力として、マスキング有情報BLKをマスク部８８に出力する。
【００９５】
これに対して、マスキング有情報BLK_X，BLK_Yの何れもが出力されなかった場合、ステップＳ１２においてＮＯであると判定されて、処理はステップＳ１４に進む。ステップＳ１４において、OR演算部８７は、マスキング有情報BLKの出力を禁止する。
【００９６】
ステップＳ１５において、マスク部８８は、マスキング有情報BLKが出力されたか否かを判定する。
【００９７】
OR演算部８７からマスキング有情報BLKが出力されてこなかった場合、ステップＳ１５の処理でＮＯであると判定されて、処理はステップＳ１６に進む。ステップＳ１６において、マスク部８８は、入力実信号RGB_INをそのまま、注目画素の出力実信号RGB_OUTとして出力する。即ち、この場合、注目画素にマスキングはかけられない。これにより、注目画素についてのマスク処理は終了となる。
【００９８】
これに対して、OR演算部８７からマスキング有情報BLKが出力されてきた場合、ステップＳ１５の処理でＹＥＳであると判定されて、処理はステップＳ１７に進む。ステップＳ１７において、マスク部８８は、入力実信号RGB_INの代わりに、０レベル信号（黒を示す信号）を、注目画素の出力実信号RGB_OUTとして出力する。即ち、この場合、注目画素にマスキングがかけられる。これにより、注目画素についてのマスク処理は終了となる。
【００９９】
具体的には例えば、象限信号処理回路７１が左上象限信号処理回路７１−１として採用された場合の例について考える。
【０１００】
この場合、例えば図１０の例では、ステップＳ６の処理で、Pos_x   ≦  BLK_Pos_Xであると判定されるので、ステップＳ８の処理で、水平方向マスク有無決定部（大小比較部）８３からのマスキング有情報BLK_Xの出力が禁止される。
【０１０１】
また、ステップＳ９の処理で、Pos_y   ≦  BLK_Pos_Yであると判定されるので、ステップＳ１１の処理で、垂直方向マスク有無決定部（大小比較部）８６からのマスキング有情報BLK_Yの出力が禁止される。
【０１０２】
よって、ステップＳ１２の処理でＮＯであると判定されて、ステップＳ１４の処理で、OR演算部８７からのマスキング有情報BLKの出力が禁止されることになるので、ステップＳ１５の処理でＮＯであると判定されて、ステップＳ１６の処理で、入力実信号RGB_INがそのまま、注目画素の出力実信号RGB_OUTとして出力されることになる。即ち、この場合、注目画素にマスキングはかけられない。
【０１０３】
また、図１１の例では、ステップＳ６の処理で、Pos_x   ＞  BLK_Pos_Xであると判定されるので、ステップＳ７の処理で、水平方向マスク有無決定部（大小比較部）８３からマスキング有情報BLK_Xが出力される。
【０１０４】
一方、ステップＳ９の処理で、Pos_y   ≦  BLK_Pos_Yであると判定されるので、ステップＳ１１の処理で、垂直方向マスク有無決定部（大小比較部）８６からのマスキング有情報BLK_Yの出力が禁止される。
【０１０５】
この場合、マスキング有情報BLK_XがOR演算部８７に入力されることになるので、ステップＳ１２の処理でＹＥＳであると判定されて、ステップＳ１３の処理で、OR演算部８７からマスキング有情報BLKが出力されることになる。よって、ステップＳ１５の処理でＹＥＳであると判定されて、入力実信号RGB_INの代わりに、０レベル信号（黒を示す信号）が、注目画素の出力実信号RGB_OUTとして出力される。即ち、この場合、注目画素にマスキングがかけられる。
【０１０６】
また、図１２の例では、ステップＳ６の処理で、Pos_x   ≦  BLK_Pos_Xであると判定されるので、ステップＳ８の処理で、水平方向マスク有無決定部（大小比較部）８３からのマスキング有情報BLK_Xの出力が禁止される。
【０１０７】
一方、ステップＳ９の処理で、Pos_y   ＞  BLK_Pos_Yであると判定されるので、ステップＳ１０の処理で、垂直方向マスク有無決定部（大小比較部）８６からマスキング有情報BLK_Yが出力される。
【０１０８】
この場合、マスキング有情報BLK_YがOR演算部８７に入力されることになるので、ステップＳ１２の処理でＹＥＳであると判定されて、ステップＳ１３の処理で、OR演算部８７からマスキング有情報BLKが出力されることになる。よって、ステップＳ１５の処理でＹＥＳであると判定されて、入力実信号RGB_INの代わりに、０レベル信号（黒を示す信号）が、注目画素の出力実信号RGB_OUTとして出力される。即ち、この場合、注目画素にマスキングがかけられる。
【０１０９】
なお、以上においては本発明の理解を容易なものとすべく、ステップＳ１乃至Ｓ１７の順番で説明してきたが、図８の構成から明らかなように、ステップＳ１５までの処理、即ち、OR演算部８７の前段の処理に関しては、必ずしも各ステップの順番で処理が実行される必要がないことは言うまでも無い。
【０１１０】
また、図９の例のマスク処理は、注目画素単位の処理として示されている。よって、実際には、図９の例のマスク処理は、１つの象限フレームを構成する２０４８×１０８０個の画素の各入力実信号RGB_INに対してそれぞれ順次施されることになる。そして、各マスク処理の結果順次得られてくる各出力実信号RGB_OUTのそれぞれが4K液晶パネル６３に順次提供され、その結果、２０４８×１０８０個の画素からなる象限フレームが4K液晶パネル６３からスクリーン１に投射されるのである。そして、このような一連の処理が繰り返されることで、複数の象限フレームから構成される動画像が、4K液晶パネル６３からスクリーン１に投射されるのである。
【０１１１】
このような図９の例のマスク処理が図７の左上象限信号処理回路７１−１乃至右下象限信号処理回路７１−４のそれぞれによって並行かつ同時に実行されると、例えば、上述した図６の右側に示されるように、カーブドスクリーン１−１からはみ出た部分が黒色でマスキングされたフレームが投射されることになる。よって、上述した効果、即ち、その映像の視聴者にとっては、カーブドスクリーン１−１から映像がはみ出していないように視認されるという効果を奏することが可能になる。
【０１１２】
さらに、上述した図９のマスク処理を実行するために必要な情報は、注目画素の入力信号（RGB_IN/HD/VD）以外は、マイクロコンピュータ６１から提供される点情報MASK_HOR，MASK_CORNER_X,MASK_VER，MASK_CORNER_Yのみでよい。
【０１１３】
この点情報MASK_HOR，MASK_CORNER_X,MASK_VER，MASK_CORNER_Yは、図４の6個の点a乃至fの位置情報から容易に算出可能な情報である。
【０１１４】
図４の6個の点a乃至fの位置情報とは、フレームの何れの部分をマスキングするのかを決定するために必要かつ十分な情報であり、また、ユーザが自在に可変できる情報である。
【０１１５】
よって、ユーザは、制御装置５１を操作して、フレームのうちのマスキングを所望する任意の部分を決定して、その部分を6個の点a乃至fの位置情報として与えるだけで、その所望の部分にマスキングがかけられた映像をスクリーン１に投射させることができるのである。即ち、マスキングのパターンは、上述したように、図４の例に特に限定されず、任意のパターンが自在に可能となる。
【０１１６】
よって、例えば、図１３に示されるように、スクリーン１−２に対して斜め方向（左右または上下方向）から映像を投射するような場所にしか、デジタルシネマ用プロジェクタを配置できない場合、従来のプロジェクタを採用すると、同図左側に示されるように、映像がスクリーン１−２の外にはみ出て、台形状に歪んでしまうという問題が生じていた。そこで、このような場合においても、本発明が適用されるプロジェクタ（図７のプロジェクタ５２等）を採用することで、同図右側に示されるように、スクリーン１−２からはみ出た部分を黒色でマスキングすることができるので、その結果、より歪みの無い映像をスクリーン１−２上に映すことができる、という効果を奏することが可能になる。
【０１１７】
また、例えば、図１４に示されるように、スクリーン１−２に対して真正面からではなく斜め方向(例えば右斜め上方向)から映像を投射するような場所にしか、デジタルシネマ用プロジェクタを配置できない場合、従来のプロジェクタを採用すると、同図左側に示されるように、いびつな形に歪んだ映像になってしまうという問題が生じていた。そこで、このような場合においても、本発明が適用されるプロジェクタ（図７のプロジェクタ５２等）を採用することで、同図右側に示されるように、いわゆる台形マスキングを使うことができるので、歪みの無い映像に補正できる、という効果を奏することが可能になる。
【０１１８】
また、例えば図示はしないが、スクリーン１に対して真正面から投射した場合であっても、従来のプロジェクタを採用すると、映像が上下または左右方向にスクリーンからはみ出してしまうことがあった。このような場合においても、本発明が適用されるプロジェクタ（図７のプロジェクタ５２等）を採用することで、同図右側に示されるように、いわゆる台形マスキングを使うことができるので、スクリーン１からはみ出した部分にマスキングをかけて、スクリーン１上にのみ映像を投射できる、という効果を奏することが可能になる。
【０１１９】
以上の効果をまとめると、映画館の環境によらず、投射対象の映像をスクリーン１内に収めることができるという効果に帰着する。
【０１２０】
上述した一連の処理は、ハードウエアにより実行させることもできるし、ソフトウエアにより実行させることもできる。
【０１２１】
上述した一連の処理をソフトウエアにより実行させる場合、本発明が適用される画像処理装置の液晶パネルの駆動を制御する部分は、図１５に示されるコンピュータとして構成することもできる。例えば、図７の例のマイクロコンピュータ６１やマスク回路６２の代わりに、図１５のコンピュータを採用してもよい。
【０１２２】
図１５において、CPU（Central Processing Unit）２０１は、ROM（Read Only Memory）２０２に記録されているプログラム、または記憶部２０８からRAM（Random Access Memory）２０３にロードされたプログラムに従って各種の処理を実行する。RAM２０３にはまた、CPU２０１が各種の処理を実行する上において必要なデータなども適宜記憶される。
【０１２３】
CPU２０１、ROM２０２、およびRAM２０３は、バス２０４を介して相互に接続されている。このバス２０４にはまた、入出力インタフェース２０５も接続されている。
【０１２４】
入出力インタフェース２０５には、キーボード、マウスなどよりなる入力部２０６、ディスプレイなどよりなる出力部２０７、ハードディスクなどより構成される記憶部２０８、および、モデム、ターミナルアダプタなどより構成される通信部２０９が接続されている。通信部２０９は、インターネットを含むネットワークを介して他の装置（図示せず）との間で行う通信を制御する。
【０１２５】
入出力インタフェース２０５にはまた、必要に応じてドライブ２１０が接続され、磁気ディスク、光ディスク、光磁気ディスク、或いは半導体メモリなどよりなるリムーバブル記録媒体２１１が適宜装着され、それらから読み出されたコンピュータプログラムが、必要に応じて記憶部２０８にインストールされる。
【０１２６】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１２７】
このようなプログラムを含む記録媒体は、図１５に示されるように、装置本体とは別に、視聴者にプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブルメディア（パッケージメディア）２１１により構成されるだけでなく、装置本体に予め組み込まれた状態で視聴者に提供される、プログラムが記録されているROM２０２や、記憶部２０８に含まれるハードディスクなどで構成される。
【０１２８】
なお、図７の制御装置５１も、図１５のコンピュータで構成してもよい。
【０１２９】
以上本発明について説明したきたが、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０１３０】
また、本明細書において、システムとは、複数の装置や処理部により構成される装置全体を表すものである。
【０１３１】
さらにまた、本発明が適用される画像処理装置、例えば図８のマスク回路６２の適用先は、図７のデジタルシネマ用のプロジェクタ５２に特に限定されず、被画像形成対象に画像を４分割して形成させる画像形成装置であれば足りる。換言すると、デジタルシネマ用のプロジェクタ５２とは、被画像形成対象としてスクリーン１を採用した場合の画像形成装置の一実施の形態に過ぎない。
【図面の簡単な説明】
【０１３２】
【図１】従来の問題点を説明する図である。
【図２】従来の問題点を説明する図である。
【図３】本発明が適用されるマスキングを行うための手法を説明する図である。
【図４】本発明が適用されるマスキングを行うための手法を説明する図である。
【図５】本発明が適用されるマスキングを行うための手法を説明する図である。
【図６】本発明が適用されるマスキングを行うための手法を適用した場合の効果の一例を説明する図である。
【図７】本発明が適用される画像処理装置としてのプロジェクタを含む情報処理システムの構成例を示すブロック図である。
【図８】図７のプロジェクタの各象限信号処理回路の詳細な構成例を示すブロック図である。
【図９】図８の象限信号処理回路が実行するマスク処理の一例を説明するフローチャートである。
【図１０】図９のマスク処理の内容や処理結果を説明するための具体例を示す図である。
【図１１】図９のマスク処理の内容や処理結果を説明するための具体例を示す図である。
【図１２】図９のマスク処理の内容や処理結果を説明するための具体例を示す図である。
【図１３】本発明が適用されるマスキングを行うための手法を適用した場合の効果の図６とは異なる例を説明する図である。
【図１４】本発明が適用されるマスキングを行うための手法を適用した場合の効果の図６や図１３とは異なる例を説明する図である。
【図１５】本発明をソフトウエアで実現する場合のそのソフトウエアを実行するコンピュータの構成例を示すブロック図である。
【符号の説明】
【０１３３】
１，１−１，１−２  スクリーン，  ５１  制御装置，  ５２  プロジェクタ，  ６１  マイクロコンピュータ，  ６２  マスク回路，  ６３  4K液晶パネル，  ７１  象限信号処理回路，  ７１−１  左上象限信号処理回路，  ７１−２  右上象限信号処理回路，  ７１−３  左下象限信号処理回路，  ７１−４  右下象限信号処理回路，  ８１  水平カウンタ部，  ８２  水平方向マスキング境界点決定部，  ８３  水平方向マスク有無決定部（大小比較部），  ８４  垂直カウンタ部，  ８５  垂直方向マスキング境界点決定部，  ８６  垂直方向マスク有無決定部（大小比較部），  ８７  OR演算部，  ８８  マスク部，  ２０１  CPU，  ２０２  ROM，  ２０３  RAM，  ２０５  記録部，  ２１１  リムーバブルメディア
【図１】
2008311766.tif 000003
【図２】
2008311766.tif 000004
【図３】
2008311766.tif 000005
【図４】
2008311766.tif 000006
【図５】
2008311766.tif 000007
【図６】
2008311766.tif 000008
【図７】
2008311766.tif 000009
【図８】
2008311766.tif 000010
【図９】
2008311766.tif 000011
【図１０】
2008311766.tif 000012
【図１１】
2008311766.tif 000013
【図１２】
2008311766.tif 000014
【図１３】
2008311766.tif 000015
【図１４】
2008311766.tif 000016
【図１５】
2008311766.tif 000017